(57)【特許請求の範囲】
【請求項１】
外来電話を検出する外来電話検出手段と、
前記外来電話の検出に応答して、音声で電話にでる音声モードと音声以外のモードで電話にでる非音声モードの少なくとも２つのオプションを表示し、かつ前記モードのうちの１つが選択できるようにする手段と、
前記音声モードが選択されたときに前記音声モードで電話にでるように作動し、前記非音声モードが選択されたときに前記非音声モードで電話にでるように作動するスイッチング手段と
を備えたことを特徴とするポータブルな送受話器のシステム。
【請求項２】
外部装置と接続できるようにするコネクタを備え、前記スイッチング手段は、前記非音声モードが選択されたときに前記外部装置が電話にでるように作動することを特徴とする請求項１に記載のシステム。
【請求項３】
前記外部装置が接続されているかどうかを自動的に検出する自動検出手段を備えたことを特徴とする請求項２に記載のシステム。
【請求項４】
前記外部装置は、データ装置およびファックス装置を含むことを特徴とする請求項３に記載のシステム。
【請求項５】
前記自動検出手段によって検出された外部装置に従って、前記オプションの表示を行わせる手段を備えたことを特徴とする請求項３または４に記載のシステム。
【請求項６】
音声の電話番号および非音声の電話番号を含むデータベース情報を記憶するメモリーと、
電話の発信者番号をデータベースにおける番号と比較し、外来電話の可能性の高いモードを決定する手段とを備えたことを特徴とする請求項１ないし５のいずれか１つに記載のシステム。
【請求項７】
移動電話システムにおける操作のための動的なメニューを有するポータブルな送受話器であって、
入って来る情報を受信し、また情報を送信するように作動する移動電話トランシーバと、
前記移動電話トランシーバから、受信された外来電話を検出し、その検出状態に応じた動的なメニューを生成するマイクロプロセッサと、
前記動的なメニューを表示するディスプレイと、
前記動的なメニューからユーザーが選択を行えるようにするものであって、音声で電話にでる通常の音声モードである第１の電話応答モードと、音声で電話にでる音声モード以外の第２の電話応答モードの少なくとも一方をユーザーが選択できるようにするセレクタと、
前記第２の電話応答モードにおいて作動する外部装置に連結するためのコネクタとを備え、
前記プロセッサは、前記動的なメニューから選ばれた選択モードで前記電話にでることを特徴とするポータブルな送受話器。
【請求項８】
前記第２の電話応答モードは、少なくともデータおよび／またはファックスの１つであることを特徴とする請求項７に記載の送受話器。
【請求項９】
前記外部装置は、データ装置および／またはファックス装置であることを特徴とする請求項８に記載の送受話器。
【請求項１０】
電話帳を有する内部メモリを備え、前記電話帳は、前記電話番号が音声の電話番号であるか非音声の電話番号であるかを示す複数の電話番号を記憶しており、
前記プロセッサは、電話の発信者番号を特定し、その発信者番号を前記電話帳の情報と比較し、その比較に従って前記動的なメニューを変更することを特徴とする請求項７ないし９のいずれか１つに記載の送受話器。
【請求項１１】
外来電話がかかってきたことを検出すること、
前記外来電話から発信者番号情報を取得すること、
電話が音声の電話であるか非音声の電話であるかを示す複数の発信者番号情報のデータベースと前記発信者番号情報とを比較すること、
前記発信者番号情報の比較結果に従い、音声の電話あるいは非音声の電話として電話にでるかを示すこと
を含む、電話の操作方法。
【請求項１２】
前記非音声の電話は、ファックス電話を含む、ことを特徴とする請求項１１に記載の方法
【請求項１３】
ユーザーのオプションを示す動的なメニューを形成すること、および前記外来電話が受信されたとき、前記発信者番号情報から決定されたオプションを含む応答オプションを示す動的なメニューを形成することを含む、請求項１２に記載の方法。
【発明の詳細な説明】
【０００１】
【発明の属する技術分野】
本発明は、移動電話などのポータブルな送受話器に関し、特に異なるモード（例えば、データ、ファックスおよび音声）間の選択が行えるようにしたものに関する。
【０００２】
【従来の技術および発明が解決しようとする課題】
ＩＳ−９５規格は、移動電話システム(cellular system)上のデータ、ファックスおよび音声の伝送を受信することができるようになっている。通常、外来電話（（着呼、incoming call）は、いくつかのモードのうちの１つとして選択される。例えば、外来電話がファックスの場合、レシーバ（例えば移動電話）は、外来電話を、接続されたファックス装置に送ることができる。
【０００３】
しかし、スプリント(Sprint)ネットワークのようなネットワークは、元々意図していた方法で指示されたプロトコルをサポートしていない。このネットワークにおいては、全ての電話(call)は、音声として扱われる。この場合、操作は、前もってアレンジされていなければならない。電話を受ける送受話器(handset)は、ネットワークの指令を無視するスペシャルモードに、手動で設定されていなければならない。これは、選択されたモードで電話にでることを強要する。それ故、例えば、外来電話がファックスである場合、特定のファックスを受信してデコードするファックス装置に電話が回されることになる。
【０００４】
もちろん、この問題は、どんな電話がかかってくるかを前もって知っている必要がある。さらに、一旦電話がその特定モードに置かれたならば、ユーザーは、電話における特定モードを解除することを覚えておかなけれなならない、さもなければ次の電話が間違ってファックスとして応答されてしまう。
【０００５】
【発明の開示】
本システムは、外来電話のモードをシステム上で制御するのが困難なシステム上で作動することができる動的な(dynamic)メニューを有している。このシステムによれば、ユーザーは、送受話器において動的に生成されたメニューから、外来電話のモードを選択することができる。このことにより、ユーザーは、電話が最初にかかってきたときに望ましいモードを選択することができる。
【０００６】
また、ユーザーは、そのメニューによって、モードを変更することができる。例えば、電話中に、手動操作されるファックスのためのモデムまたはファックス操作に変更することができる。ユーザーが誤って応答した場合、ユーザーは、メニューを使って、ファックスまたはデータのモードに手動で変更することができる。従って、モード間での自動的な切り換えをサポートしていないシステムにおいて、前もってアレンジしておかなくても、複数のモードの１つで電話にでるように、このシステムは、ユーザーにオプションを与えることができる。
【０００７】
【発明の実施の形態】
（第１実施形態）
好適な送受話器が、図ｌに示される。送受話器１００は、イヤホーン１０２、マイク１０４およびアンテナ１０６を含む従来の送受話器の構成を有している。送受話器１００は、さらに移動電話トランシーバ(cellular transceiver)１０８、マイクロプロセッサ１１０およびデジタル信号処理装置１１２を有している。これらは、全て公知であり、それらの構造は、当業者によって知られている。
【０００８】
また、電話は、ディスプレイをなすウィンドウ１１４に表示される動的なメニューを有している。そのメニューは、システムの操作によって異なる情報を生成するという点で動的である。許可(acceptor)スイッチ１１８と同様、セレクタ１１６によって、メニュー上の選択が行われる。システムは、また、クリアーキー１２０を有している。また、従来と同様、テンキーのキーパッド１２２により、数値データまたはコードを用いた英数字データの入力を行うことができる。
【０００９】
電話コネクタ１３０によって、データ装置をなすコンピュータ１３２（以下、データ装置という）および／またはファックス装置１３４といった外部装置に接続することができる。自動検出手段としての自動検出器１３６は、送受話器１００に複数の装置が接続されている場合、どんな種類の装置が接続されているかを自動的に検出する。
【００１０】
プロセッサ１１０は、従来と同様、システム全体の操作の多くを制御する。プロセッサ１１０は、移動電話トランシーバ１０８から、受信された外来電話を検出し、その検出状態に応じた動的なメニューを生成するように作動する。以下、このプロセッサ１１０の作動について説明する。
【００１１】
プロセッサ１１０は、図２に示すフローチャートに従ってユーザー・インターフェース・ルーチンの一部を実行する。ステップ２００では、プロセッサ１１０は、送受話器１００に入って来る呼び出し(page)を検出する（このステップ２００が外来電話検出手段を構成する）。これは、送受話器１００が応答する必要のある外来電話であることを意味する。ステップ２０２では、プロセッサ１１０は、外来電話と応答確認し(handshaking)、その電話から発信者の電話番号を示す発信者番号(caller ID)を含む情報を検出する。
【００１２】
ステップ２０４では、システムは、自動検出器１３６を用いて、データ装置１３２またはファックス装置１３４が送受話器１００に接続されているか否かを検出する。これは、例えば、電話が鳴ったときまたはその前の時点において、外部接続装置にポーリングすることにより、外部接続装置が接続され作動状態になっているか否かを決定する。
【００１３】
以下のステップでは、データ装置１３２かファックス装置１３４のどちらが接続されているかについて決定する。ステップ２０６では、ファックス装置１３４が接続されているか否かを検出する。そして、ファックス装置１３４が接続されているか否かに従い、ステップ２０８、２１０では、データ装置１３２が接続されているか否かを決定する。
【００１４】
ファックス装置１３４およびデータ装置１３２の両方が接続されている場合には、ステップ２１２でウィンドウ１１４にファックスおよびデータの項目をオプション表示させ、ファックス装置１３４のみが接続されている場合には、ステップ２１４でウィンドウ１１４にファックスの項目をオプション表示させ、またデータ装置１３２のみが接続されている場合には、ステップ２１６でウィンドウ１１４にデータの項目をオプション表示させる。そして、ウィンドウ１１４には、音声で電話にでる音声モードのオプションの他、上記した処理によりファックスおよび／またはデータで電話にでる非音声モードのオプションが表示される。言い換えれば、ウィンドウ１１４には、音声モードのオプションの他、データ装置１３２、ファックス装置１３４といった外部の接続状況を知らせるための非音声モードのオプションが、択一物のリストとしてメニュー表示される。このメニュー表示は、異なる時間において異なる択一物となるものである。なお、上記したオプションは、図１に示すようなデフォルトとして表示される。
【００１５】
ステップ２１８では、ユーザーは、ウィンドウ１１４に表示されたメニューからオプションの１つを選択する。これは、メニュー上の応答オプションを選択するという通常の操作方法によって電話にでることを意味する。また、ファックス装置１３４およびデータ装置１３２の１つが適当であるとするなら、データおよび／またはファックスを選択して電話にでるようにしてもよい。
【００１６】
ステップ２２０では、受け取った選択に従って電話に応答する。これは、電話が音声の電話である場合、電話を鳴らすことを含む。すなわち、このステップ２２０は、音声モードが選択されたときに音声モードで電話にでるように作動し、非音声モードが選択されたときに非音声モードで電話にでるように作動するスイッチング手段を構成している。
【００１７】
好適な態様は、図２のフローチャートに従って作動する。しかしならが、ステップ２０４から２１６は任意でもよく、その場合、システムは、それらのステップでの処理を無くし、点線２１７で示すような処理を行うことができる。例えば、データ装置１３２とファックス装置１３４の自動検出を行わず、システムは、常にデータおよびファックスに応答するオプションを表示する。これによって、ユーザーは、これらのオプションのうちの１つを選ぶことができる。
【００１８】
電話が開始された後、図３で示される、連続的に実行されるメインプログラム・ループの一部あるいは割込みルーチンが実行される。これは、メニューのモードが変更できることを表す。電話中の全ての期間において、メニューは、現在実行されているもの以外に、他の可能性のある全てのモードを少なくとも表示する。図３に示される例においては、音声、データおよびファックスが表示される。しかし、電話が音声の電話である場合には、音声の表示部分を省略してもよい。ユーザーは、ステップ２５２で、いつでも他のモードを選ぶことができる。他のモードがステップ２５２で選ばれると、システムは、ステップ２５４で他のモードに切り換える。したがって、ユーザーが外来電話を音声の電話であると誤判断して、音声の電話としてそれに応答する場合、ユーザーはファックス・トーンを聞くかもしれないが、その時、ユーザーは、手動でファックスと接続し、ファックスに切り換えることができる。このことにより、誤った先の選択を修正するようにメニューを使うことができる。
（第２実施形態）
本発明の第２実施形態においては、システムの内部の不揮発性メモリ１０９に記憶されたデータベース情報としての電話帳(phonebook)を使用するように作動する。電話帳は、ユーザーの電話番号を含む。メモリーに記憶された電話帳は、図４に示されるデータベースの概略的なフォーム３００を有する。このシステムでは、電話帳における複数の電話番号（例えば、勤務先、自宅といった音声の電話番号、およびファックス装置１３４、データ装置１３２といった非音声の電話番号を含む）が、関連付けられている。なお、図４中のＷは勤務先、Ｈは自宅、Ｆはファックス装置、Ｄはデータ装置を示し、発信者別にそれぞれの電話番号が対応付けられている。
【００１９】
この実施形態では、図５に示される修正されたフローチャートに従って動作する。図５に示す処理では、図２に示す処理と同様、ステップ２００で、入って来る呼び出しを受信し、ステップ２０２で、発信者番号を検出する。ステップ４００で、装置は、発信者番号をデータベースに記憶された全ての電話番号と比較する。
【００２０】
いずれとも一致しない場合、例えば、図２のステップ２０４または図２のステップ２１８に進み、そのステップから処理が続けられる。また、発信者番号といずれかの電話番号が一致する場合、ステップ４０２で、どのような種類の一致が検出されたが決定される。このことにより、発信者番号に関連したモードがデータベースから読みとられる。それが、外来電話の可能性の高いモードであるとされる。
【００２１】
そして、自宅または勤務先といった通常の電話が受信されると、システムは、図２のステップ２０４あるいはステップ２１８に進み、そのステップから処理が続けられる。
【００２２】
しかしながら、データの発信者番号が受信された場合、システムは、ステップ４１０でデータとして応答する。また、ファックスの発信者番号が受信された場合、システムは、ステップ４１２でファックスとして応答する。これらの場合、発信者番号の情報をもとにメニューにそのデフォルトが表示されるが、メニューを用いた操作は行われない。なお、必要であれば、異なる選択を行うようにすることもできる。電話が完了した後、図３のオーバーライド・メニューが表示される。
【００２３】
上記した説明では、２、３の実施形態について詳細に述べたが、当業者であれば、それらの実施形態から変形した実施形態が可能であることが理解できるであろう。例えば、接続されたコネクタを検出して、メニューの内容を、接続された装置の全てに設定することができる。この場合、コネクタが接続されたいかなる時においても、装置は、データおよびファックスの可能性を表示するようにすることができる。また、このシステムは、いかなる電話システムにおいても使用することができる。
【図面の簡単な説明】
【図１】送受話器のブロックダイヤグラムを示す図である。
【図２】第１のモードにおける作動を示すフローチャートである。
【図３】スイッチング作動を示すフローチャートである。
【図４】データベースの具体例を示す図である。
【図５】発信者番号を用いた実施形態のフローチャートである。
【符号の説明】
１００…送受話器、１０２…イヤホーン、１０４…マイク、
１０６…アンテナ、１０８…移動電話トランシーバ、
１１０…マイクロプロセッサ、１１２…デジタル信号処理装置、
１１４…ウィンドウ、１１６…セレクタ、１１８…許可スイッチ、
１２０…クリアーキー、１２２…キーパッド、１３０…コネクタ、
１３２…コンピュータ、１３４…ファックス装置、１３６…自動検出器。
【図１】
0004178706.tif 000002
【図２】
0004178706.tif 000003
【図３】
0004178706.tif 000004
【図４】
0004178706.tif 000005
【図５】
0004178706.tif 000006